(57)【要約】【課題】本発明は屋内でペットが飼育される住宅用の網戸であって、特に通風が可能でかつ網がペットによって損傷されることがないペット用網戸を目的とする。【解決手段】戸枠２の所定位置に中帯３を設けて上部と下部とに２分割し、かつ該上部に網４を張設し、下部にパンチングメタルよりなる多孔板５を張設して構成したペット用網戸１の構造である。【選択図】　　　　図１
2004137710.tif 000002
【特許請求の範囲】
【請求項１】
戸枠の上部に網を張設しかつ戸枠の下部にガラス、樹脂板、パンチングメタル或は有孔樹脂板等の多孔板を張設して構成したことを特徴としたペット用網戸。
【発明の詳細な説明】
【０００１】
【発明の属する技術分野】
本発明はペットを飼育する住宅に有効に使用することが出来るペット用網戸に係り、特に通風が可能でかつペットによって網が破損される心配のないペット用網戸に関するものである。
【０００２】
【従来の技術】
従来、ペットを飼育している住宅に於ても、通風の目的で掃き出し窓や引き違い窓に網戸を建込んで使用している。
【０００３】
【発明が解決しようとする課題】
しかるに、前述のように開口部に網戸を使用している住宅に於ては、例えば後述の特許文献１に示すように、ペットが屋外から侵入し又は外に出ようとして、或はもたれたりして遊んでいて、網戸の網を破損させてしまう問題があった。さらに、ペットによっては網戸を破って屋外に出てしまう問題もあった。
【０００４】
【特許文献１】
特開２００２−２６２６９４号公報
【０００５】
本発明に係るペット用網戸は、前述の従来の問題点に鑑み開発された全く新しい技術であって、特に網戸を上下に２分し、ペットの手の届く網戸の下部をペットによって壊されない材料で形成し、かつ網戸の上部に網を張設して構成した全く新しい技術を提供するものである。
【０００６】
【課題を解決するための手段】
本発明に係るペット用網戸は、前述の従来の多くの問題点を根本的に改善した発明であって、その第１発明の要旨は、戸枠の上部に網を張設しかつ戸枠の下部にガラス、樹脂板、パンチングメタル或は有孔樹脂板等の多孔板を張設して構成したことを特徴としたペット用網戸である。
【０００７】
前述の第１発明に於ては、戸枠の上部に網を張設して網戸を形成したので、この上部の網によって通風を可能とすることが出来る。
【０００８】
また、第１発明に於ては、戸枠の下部にガラス、樹脂板、パンチングメタル或は有孔樹脂板等の多孔板を張設したので、網戸の下部は丈夫であり、ペットによって破損される心配がない。特に、戸枠の下部を前記多孔板で構成した場合には、従来の網戸と同等の通風性に富んだ網戸を構成することが出来る。また、ガラス或は樹脂板を用いた場合には採光性が良い。
【０００９】
本発明に於ては、戸枠の上部及び下部に夫々網を張設し、かつ該下部に張設された網に沿って多孔板を並設して構成することも出来る。
【００１０】
このように構成した場合には、戸枠の上部及び下部の全体に網を張設し、かつ下部に張設された網の屋内側のみ或は屋内側及び屋外側の両側にペットによって破損される心配のない多孔板を並列して網戸を構成したので、該網戸がペットによって壊される心配がない上に、さらに多孔板の孔を大きく出来るので、通風性に富む網戸を構成することが出来る。
【００１１】
さらに、本発明に於ては、網戸の下部所定位置にペット等用出入口を設けて構成することも出来る。
【００１２】
このように構成した場合には、網戸の下部所定位置にペットの専用出入口を設けて構成したので、ペットを屋内外に出入させる場合には、この専用出入口を使用することが出来る。
【００１３】
【発明の実施の形態】
図により本発明に係るペット用網戸の一実施例を具体的に説明すると、図１は本発明に係る第１実施例の網戸の正面図及び断面図、図２は本発明に係る第２実施例の網戸の正面図及び断面図、図３は本発明に係る第３実施例の網戸の正面図及び断面図、図４は本発明に係る第４実施例の網戸の正面図及び断面図、図５は本発明に係る第５実施例の網戸の正面図及び断面図、図６は本発明に係る第６実施例の断面図及び要部の斜視図である。
【００１４】
図１に於て本発明に係るペット用網戸の第１実施例について説明すると、１は本発明に係るペット用網戸であって、その戸枠２は中帯３によって上部及び下部に２分割されている。該中帯３はペットが飛びついても届くことが困難な約１ｍ位の高さに配置されている。このロック桟構はペットが網戸そのものを動かさないようにするためのものである。
【００１５】
前記ペット用網戸１の上部には網４が張設され、かつその下部には多孔板５が張設されている。この多孔板５は、パンチングメタル、有孔樹脂板等の多数の孔が設けられた材料より構成されている。６は戸枠２の所定位置に設けられたロック桟構である。
【００１６】
前述の第１実施例のペット用網戸１に於ては、中帯３によって区分された戸枠２の上部には網４が張設され、かつ下部には多孔板５が張設されているので、従来の網戸と同様の通風性がある構造となっている。さらに、ペットの手が届く下部には多孔板５が張設されているので、ペットがこの多孔板５を引かいたり、或は強く体当たりしても損傷させる心配がない構造となっている。
【００１７】
図２に於て本発明に係るペット用網戸の第２実施例について説明すると、７は本発明に係るペット用網戸であって、中帯３によって区分されたその戸枠２の上部及び下部の夫々には網４が張設されている。そして下部の網４の屋内側にはパンチングメタルよりなる多孔板５が、網４と所定の間隔を保って並列して張設されている。
【００１８】
前述の第２実施例のペット用網戸７は、その下部に網４とその屋内側に多孔板５が並列して張設されているので、ペットによって下部に張設された網４が損傷される心配がない。また、その下部は上部と同様に通風性に富む構造となっている。さらに、多孔板５は上にスライドできる構造にしても良い。この場合にはペットがスライドさせることがないように、ロック桟構を設けるとよい。
【００１９】
図３により第３実施例のペット用網戸８について説明すると、この実施例の場合には、ペット用網戸８の下部に張設された網４の屋内側及び屋外側に夫々パンチングメタルよりなる多孔板５が並列して張設されている。このペット用網戸８に於ては、下部の網４の屋外側にも多孔板５を設けたので、野良猫などの動物が屋内に侵入しようとして網４を損傷させることを防止出来る。
【００２０】
図４に於て本発明に係る第４実施例のペット用網戸９について説明すると、この実施例のペット用網戸９に於ては、戸枠２の上部には網４が張設され、かつその下部にはガラス１０が全面的に張設されている。
【００２１】
前記ペット用網戸９に於ては、戸枠２の下部にはガラス１０が張設されているので、ペットによってペット用網戸９が破損される心配はない。このペット用網戸９に於ては、下部がガラス１０になっているので、全体として通風性にやや難点がある一方で、太陽光を屋内に取入れることが出来る効果を有している。
【００２２】
図５に於て、本発明に係る第５実施例のペット用網戸１１について説明すると、この実施例の場合には、ペット用網戸１１の下部所定位置に水平仕切枠１２と垂直仕切枠１２ａが設けられて、これ等の仕切枠１２、１２ａと戸枠２によって囲まれた小さなスペースにペット出入口１３を構成している。
【００２３】
また、このペット出入口１３には開閉戸１４が屋外及び屋内側に押し開きすることが出来るように取付けられている。この開閉戸１４は所定の手段でロックすることが出来るように構成されている。
【００２４】
ペット用網戸１１の場合には、前述のように、ペット用網戸１１の下部所定位置にペット出入口１３が設けられているので、必要に応じて屋内で飼育しているペットをこのペット出入口１３より屋外に出すことが出来る。また、開閉戸１４のロックを外した場合には、ペット出入口１３に於てペットの出入りを自由にさせることが出来る。
【００２５】
図６に於て、本発明に係る第６実施例について説明すると、この第６実施例は、前記第１実施例に於ける具体的構成の施工例の説明図である。特にペット用網戸１の下部に設けられた多孔板５を戸枠２と中帯３に取付ける構造の実施例である。
【００２６】
図により明らかな如く、多孔板５の周辺縁は、Ｖカット部１６で９０度に折り曲げられた額縁状の塩ビホルダー１７によって囲まれている。この塩ビホルダー１７の片側面には、後述のフックリブが嵌入し得るカギ状溝１８が穿設されている。
【００２７】
また、この多孔板５を保持する戸枠２及び中帯３の内周面には夫々断面がカギ状のフックリブ１９が穿設されている。従って、多孔板５を戸枠２及び中帯３に取付けるに当っては、図に示すように、多孔板５を戸枠２及び中帯３の片面に押し付け、戸枠２及び中帯３に夫々設けられたフックリブ１９を多孔板５の周りの塩ビホルダー１７のカギ状溝１８に嵌入することによって、多孔板５を戸枠２と中帯３内に簡単かつ体裁良く取付けることが出来る。
【００２８】
【発明の効果】
本発明に係るペット用網戸に於ては、戸枠の上部に網を張設して網戸を形成したので、この上部の網によって通風を可能とすることが出来る効果を有している。
【００２９】
また、本発明に係るペット用網戸に於ては、戸枠の下部にガラス、樹脂板、パンチングメタル或は有孔樹脂板等の多孔板を張設したので、網戸の下部は丈夫であり、ペットによって破損される心配がない。
【００３０】
本発明に係るペット用網戸に於て、戸枠の上部及び下部の全体に網を張設し、かつ下部に張設された網の屋内側のみ或は屋内側及び屋外側の両側にペットによって破損される心配のない多孔板を並列して網戸を構成した場合には、該網戸がペットによって壊される心配がない上に、さらに通風性に富む網戸を構成することが出来る効果を有している。
【００３１】
本発明に係るペット用網戸に於て、網戸の下部所定位置にペットの専用出入口を設けて構成した場合には、この専用出入口を使用することによって、ペットを屋内外に自由に出入させることが出来る効果を有している。
【図面の簡単な説明】
【図１】本発明に係る第１実施例の網戸の正面図及び断面図である。
【図２】本発明に係る第２実施例の網戸の正面図及び断面図である。
【図３】本発明に係る第３実施例の網戸の正面図及び断面図である。
【図４】本発明に係る第４実施例の網戸の正面図及び断面図である。
【図５】本発明に係る第５実施例の網戸の正面図及び断面図である。
【図６】本発明に係る第６実施例の断面図及び要部の斜視図である。
【符号の説明】
１　　　ペット用網戸
２　　　戸枠
３　　　中帯
４　　　網
５　　　多孔板
６　　　ロック桟構
７　　　ペット用網戸
８　　　ペット用網戸
９　　　ペット用網戸
１０　　ガラス
１１　　ペット用網戸
１２　　水平仕切枠
１２ａ　垂直仕切枠
１３　　ペット出入口
１４　　開閉戸
１６　　Ｖカット部
１７　　塩ビホルダー
１８　　カギ状溝
１９　　フックリブ
【図１】
2004137710.tif 000003
【図２】
2004137710.tif 000004
【図３】
2004137710.tif 000005
【図４】
2004137710.tif 000006
【図５】
2004137710.tif 000007
【図６】
2004137710.tif 000008